(57)【要約】【課題】ネットワークの負荷の増大を抑制することができる通信機器を提供すること。【解決手段】携帯電話機１は、表示部１１と、操作部１２と、操作部１２が操作されて表示部１１がオフ状態からオン状態になると、基地局のサーチを行い、操作部１２が操作されることなく表示部１１がオフ状態からオン状態になると、基地局のサーチを行わない制御部１８と、を備える。この制御部１８は、アラームアプリケーションに基づき所定の時刻を通知することにより操作部１２が操作されることなく表示部１１がオフ状態からオン状態になると、基地局のサーチを行わないように制御を行う。【選択図】図１
2013243562.tif 000002
【特許請求の範囲】
【請求項１】
表示部と、
操作部と、
前記操作部が操作されて前記表示部がオフ状態からオン状態になると、基地局のサーチを行い、前記操作部が操作されることなく前記表示部がオフ状態からオン状態になると、基地局のサーチを行わない制御部と、
を備える通信機器。
【請求項２】
前記制御部は、アラームアプリケーションに基づき所定の時刻を通知することにより前記操作部が操作されることなく前記表示部がオフ状態からオン状態になると、基地局のサーチを行わないことを特徴とする請求項１に記載の通信機器。
【請求項３】
前記制御部は、外部機器から複数の機器に一斉に送信されるプッシュ型の信号を受信することにより前記操作部が操作されることなく前記表示部がオフ状態からオン状態になると、基地局のサーチを行わないことを特徴とする請求項１に記載の通信機器。
【請求項４】
表示部と、
操作部と、
前記操作部が操作されて前記表示部がオフ状態からオン状態になった際に、基地局のサーチを行い、前記操作部が操作されることなく前記表示部がオフ状態からオン状態になると、設定時間経過後に基地局のサーチを行う制御部と、
を備える通信機器。
【請求項５】
前記制御部は、アラームアプリケーションに基づき所定の時刻を通知することにより前記操作部が操作されることなく前記表示部がオフ状態からオン状態になると、前記設定時間経過後に基地局のサーチを行うことを特徴とする請求項４に記載の通信機器。
【請求項６】
前記制御部は、外部機器から複数の機器に一斉に送信されるプッシュ型の信号を受信することにより前記操作部が操作されることなく前記表示部がオフ状態からオン状態になると、前記設定時間経過後に基地局のサーチを行うことを特徴とする請求項４に記載の通信機器。
【請求項７】
操作部と、
前記操作部が操作に基づく第１信号を検出すると、基地局のサーチを行い、前記操作部の操作に基づかない第２信号を検出すると、基地局のサーチを行わない制御部と、
を備える通信機器。
【請求項８】
前記制御部は、前記操作部の操作に基づかない第２信号として、アラームアプリケーションにおいて設定されたアラームの時刻が到来しアラームを報知するために生ずるアラーム信号を検出すると、基地局のサーチを行わないことを特徴とする請求項７に記載の通信機器。
【請求項９】
前記制御部は、前記操作部の操作に基づかない第２信号として、外部機器から複数の機器に一斉に送信されるプッシュ型の信号を検出すると、基地局のサーチを行わないことを特徴とする請求項７に記載の通信機器。
【請求項１０】
操作部と、
前記操作部の操作に基づく第１信号を検出した際に、基地局のサーチを行い、前記操作部の操作に基づかない第２信号を検出すると、設定時間経過後に基地局のサーチを行う制御部と、
を備える通信機器。
【請求項１１】
前記制御部は、前記操作部の操作に基づかない第２信号として、アラームアプリケーションにおいて設定されたアラームの時刻が到来しアラームを報知するために生ずるアラーム信号を検出すると、前記設定時間経過後に基地局のサーチを行うことを特徴とする請求項１０に記載の通信機器。
【請求項１２】
前記制御部は、前記操作部の操作に基づかない第２信号として、外部機器から複数の機器に一斉に送信されるプッシュ型の信号を検出すると、前記設定時間経過後に基地局のサーチを行うことを特徴とする請求項１０に記載の通信機器。
【請求項１３】
表示部と、
通話網を介した音声着信に関する信号、インターネット網を介した音声着信に関する信号、又はメール受信通知に関する信号の受信により前記表示部がオフ状態からオン状態になると、基地局のサーチを行い、アラームアプリケーションに基づく所定の時刻の通知、又は外部機器から複数の機器に一斉に送信されるプッシュ型の信号の受信により前記表示部がオフ状態からオン状態になると、基地局のサーチを行わない制御部と、
を備える通信機器。
【発明の詳細な説明】
【技術分野】
【０００１】
本発明は、通信機器に関する。
【背景技術】
【０００２】
通信機器は、基地局のサーチを行い、捕捉した基地局を利用して通信を行う（例えば、特許文献１参照）。
【先行技術文献】
【特許文献】
【０００３】
【特許文献１】特開２００４−０６４７６７号公報
【発明の概要】
【発明が解決しようとする課題】
【０００４】
ところで、複数の通信機器の基地局のサーチのタイミングが重なると、ネットワークの負荷が増大してしまう。
【０００５】
本発明は、ネットワークの負荷の増大を抑制することができる通信機器を提供することを目的とする。
【課題を解決するための手段】
【０００６】
本発明に係る通信機器は、表示部と、操作部と、前記操作部が操作されて前記表示部がオフ状態からオン状態になると、基地局のサーチを行い、前記操作部が操作されることなく前記表示部がオフ状態からオン状態になると、基地局のサーチを行わない制御部と、を備える。
【０００７】
また、本発明に係る通信機器では、前記制御部は、アラームアプリケーションに基づき所定の時刻を通知することにより前記操作部が操作されることなく前記表示部がオフ状態からオン状態になると、基地局のサーチを行わないことが好ましい。
【０００８】
また、本発明に係る通信機器では、前記制御部は、外部機器から複数の機器に一斉に送信されるプッシュ型の信号を受信することにより前記操作部が操作されることなく前記表示部がオフ状態からオン状態になると、基地局のサーチを行わないことが好ましい。
【０００９】
本発明に係る通信機器は、表示部と、操作部と、前記操作部が操作されて前記表示部がオフ状態からオン状態になった際に、基地局のサーチを行い、前記操作部が操作されることなく前記表示部がオフ状態からオン状態になると、設定時間経過後に基地局のサーチを行う制御部と、を備える。
【００１０】
また、本発明に係る通信機器では、前記制御部は、アラームアプリケーションに基づき所定の時刻を通知することにより前記操作部が操作されることなく前記表示部がオフ状態からオン状態になると、前記設定時間経過後に基地局のサーチを行うことが好ましい。
【００１１】
また、本発明に係る通信機器では、前記制御部は、外部機器から複数の機器に一斉に送信されるプッシュ型の信号を受信することにより前記操作部が操作されることなく前記表示部がオフ状態からオン状態になると、前記設定時間経過後に基地局のサーチを行うことが好ましい。
【００１２】
本発明に係る通信機器は、操作部と、前記操作部が操作に基づく第１信号を検出すると、基地局のサーチを行い、前記操作部の操作に基づかない第２信号を検出すると、基地局のサーチを行わない制御部と、を備える。
【００１３】
また、本発明に係る通信機器では、前記制御部は、前記操作部の操作に基づかない第２信号として、アラームアプリケーションにおいて設定されたアラームの時刻が到来しアラームを報知するために生ずるアラーム信号を検出すると、基地局のサーチを行わないことが好ましい。
【００１４】
また、本発明に係る通信機器では、前記制御部は、前記操作部の操作に基づかない第２信号として、外部機器から複数の機器に一斉に送信されるプッシュ型の信号を検出すると、基地局のサーチを行わないことが好ましい。
【００１５】
本発明に係る通信機器は、操作部と、前記操作部の操作に基づく第１信号を検出した際に、基地局のサーチを行い、前記操作部の操作に基づかない第２信号を検出すると、設定時間経過後に基地局のサーチを行う制御部と、を備える。
【００１６】
また、本発明に係る通信機器では、前記制御部は、前記操作部の操作に基づかない第２信号として、アラームアプリケーションにおいて設定されたアラームの時刻が到来しアラームを報知するために生ずるアラーム信号を検出すると、前記設定時間経過後に基地局のサーチを行うことが好ましい。
【００１７】
また、本発明に係る通信機器では、前記制御部は、前記操作部の操作に基づかない第２信号として、外部機器から複数の機器に一斉に送信されるプッシュ型の信号を検出すると、前記設定時間経過後に基地局のサーチを行うことが好ましい。
【００１８】
本発明に係る通信機器は、表示部と、通話網を介した音声着信に関する信号、インターネット網を介した音声着信に関する信号、又はメール受信通知に関する信号の受信により前記表示部がオフ状態からオン状態になると、基地局のサーチを行い、アラームアプリケーションに基づく所定の時刻の通知、又は外部機器から複数の機器に一斉に送信されるプッシュ型の信号の受信により前記表示部がオフ状態からオン状態になると、基地局のサーチを行わない制御部と、を備える。
【発明の効果】
【００１９】
本発明によれば、ネットワークの負荷の増大を抑制することができる。
【図面の簡単な説明】
【００２０】
【図１】携帯電話機の構成を示すブロック図である。
【図２】携帯電話機の動作の流れを示すフローチャートである。
【発明を実施するための形態】
【００２１】
本発明を実施するための実施形態を、図面を参照しつつ詳細に説明する。以下では、通信機器の一例として、携帯電話機１について説明する。
【００２２】
携帯電話機１は、図１に示すように、表示部１１と、操作部１２と、レシーバ１３と、マイク１４と、第１通信処理部１５と、第２通信処理部１６と、記憶部１７と、制御部１８とを備える。
【００２３】
表示部１１は、液晶ディスプレイ（Ｌｉｑｕｉｄ  Ｃｒｙｓｔａｌ  Ｄｉｓｐｌａｙ）又は有機液晶パネル（Ｏｒｇａｎｉｃ  Ｅｌｅｃｔｒｏ−Ｌｕｍｉｎｅｓｃｅｎｓｅ  ｐａｎｅｌ）等の表示デバイスにより構成されている。表示部１１には、文字、画像、記号又は図形等が表示される。
【００２４】
操作部１２は、複数のボタンから構成されており、利用者によって操作される。なお、操作部１２は、単一のボタンにより構成されていても良い。
レシーバ１３は、制御部１８から送信される音声信号を音声に変換して出力する。
マイク１４は、利用者等の音声を音声信号に変換して制御部１８に送信する。
【００２５】
第１通信処理部１５は、第１アンテナ１５ａと、第１通信部１５ｂとを備える。第１通信処理部１５によって行われる通信方式は、例えば、２Ｇ、３Ｇ、４Ｇ等のセルラーフォンの通信規格である。
【００２６】
第２通信処理部１６は、第２アンテナ１６ａと、第２通信部１６ｂとを備える。第２通信処理部１６によって行われる通信方式は、例えば、ＩＥＥＥ８０２．１６ｅに準拠する通信規格（ＷｉＭＡＸ）である。
【００２７】
記憶部１７は、例えば、制御部１８による演算処理に利用され、メモリ等によって構成される。記憶部１７は、携帯電話機１の内部で動作するアプリケーションを１又は複数記憶する。なお、記憶部１７は、着脱可能な外部メモリを兼ねていてもよい。
【００２８】
制御部１８は、携帯電話機１の全体を制御しており、中央処理装置（ＣＰＵ）等を用いて構成される。なお、制御部１８の詳細については後述する。
【００２９】
ここで、制御部１８により第２通信処理部１６を制御して、基地局のサーチを行う処理について説明する。
【００３０】
制御部１８は、表示部１１の電源がオンの状態において、ＷｉＭＡＸにおける通信が切断されると、第２通信処理部１６を用いて、所定時間にわたってＷｉＭＡＸの基地局のサーチを行う。制御部１８は、基地局が見つかった場合には、通信接続の確立を試行する。
【００３１】
制御部１８は、ＷｉＭＡＸにおける通信を維持したまま表示部１１の電源がオフの状態になり、その後、ＷｉＭＡＸにおける通信が切断された場合に、ＷｉＭＡＸの基地局のサーチを行わないように制御する。ここで、通信が切断されたとは、第２通信部１６ｂが、基地局からの電波が弱い又は届かないことによって、基地局との通信ができない状態をいう。
【００３２】
制御部１８は、表示部１１の電源がオフの状態においてＷｉＭＡＸにおける通信が切断されている場合、信号（割込信号）を検出すると、基地局のサーチをするか否かについての制御を行う。以下、制御部１８による、当該制御についての具体的な説明を行う。
【００３３】
制御部１８は、第１信号としての第１の割込信号を検出すると、第２通信処理部１６を用いて基地局のサーチを行い、第１信号とは異なる第２信号としての第２の割込信号を検出すると、第２通信処理部１６を用いて基地局のサーチを行わないように制御する。なお、サーチ対象の基地局は、ＷｉＭＡＸの基地局である。
【００３４】
このようにすることで、制御部１８は、第２の割込信号が複数の携帯電話機１に対して一斉に通知されるような信号であっても、当該信号により基地局のサーチを行わないように制御する。よって、携帯電話機１は、ネットワークの負荷の増大を抑制することができる。
【００３５】
第１の割込信号は、例えば、操作部１２が操作されたことによって検出される信号、通話網を介した音声着信に関する信号、インターネット網を介した音声着信に関する信号、又はメール受信通知に関する信号である。
【００３６】
第２の割込信号は、例えば、アラームアプリケーションにおいて設定されたアラームの時刻が到来しアラームを報知するために生ずるアラーム信号、及び外部機器から複数の機器に一斉に送信されるプッシュ型の信号等の操作部１２の操作に基づかない信号である。外部機器から複数の機器に一斉に送信されるプッシュ型の信号は、例えば、緊急地震速報に関する信号、又は携帯電話機のファームウェアのアップデート通知に関する信号である。
【００３７】
制御部１８は、第２の割込信号として、アラームアプリケーションにおいて設定されたアラームの時刻が到来しアラームを報知するために生ずるアラーム信号を検出すると、第２通信処理部１６を用いて基地局のサーチを行わないように制御する。
【００３８】
具体的には、制御部１８は、アラームアプリケーションにおいて、アラームの時刻が所定の時刻に設定されている場合において、当該アラームの時刻が到来したことによってアラーム信号を検出すると、第２通信処理部１６を用いて基地局のサーチを行わないように制御する。ここで、所定の時刻は、例えば、６時又は７時といった、「分」を６０で割り切れる時刻、若しくは、６時３０分又は７時３０分といった「分」を３０で割り切れる時刻である。
【００３９】
例えば、６時又は７時といった、「分」を６０で割り切れる時刻、若しくは、６時３０分又は７時３０分といった「分」を３０で割り切れる時刻は、切りが良い時刻であるので、当該時刻をアラーム時刻に設定する携帯電話機１のユーザは多い。
【００４０】
これに対して、制御部１８は、アラームアプリケーションによるアラームの時刻が複数の携帯電話機１において同時刻に設定されている場合であっても、当該アラームを報知するためのアラーム信号によって基地局のサーチを行わないように制御する。よって、携帯電話機１は、所定時刻に対応するアラーム信号を起因とする基地局のサーチを防止して、ネットワークの負荷の増大を抑制することができる。
【００４１】
また、制御部１８は、第２の割込信号として、外部機器から複数の機器に一斉に送信されるプッシュ型の信号を検出すると、第２通信処理部１６を用いて基地局のサーチを行わないように制御する。
【００４２】
このように、制御部１８は、複数の携帯電話機１に対して一斉に送信されるプッシュ型の信号によって基地局のサーチを行わないように制御するので、携帯電話機１は、一斉に送信されるプッシュ型の信号を起因とする基地局のサーチを防止して、ネットワークの負荷の増大を抑制することができる。
【００４３】
ここで、制御部１８は、表示部１１の電源がオフの状態において第１の割込信号、又は第１信号とは異なる第２の割込信号を検出すると、表示部１１の電源をオフの状態からオンの状態に切り替える。以後、電源がオンの状態をオン状態、電源がオフの状態をオフ状態という。
【００４４】
つまり、制御部１８は、操作部１２が操作されて表示部１１がオフ状態からオン状態になると、第２通信処理部１６を用いて基地局のサーチを行い、操作部１２が操作されることなく表示部１１がオフ状態からオン状態になると、第２通信処理部１６を用いて、基地局のサーチを行わないように制御する。
【００４５】
操作部１２が操作されることなく表示部１１がオフ状態からオン状態になる場合、複数の携帯電話機１に対して一斉に送信されるプッシュ信号等により表示部１１がオフ状態からオン状態になる可能性がある。これに対して、制御部１８は、操作部１２が操作されることなく表示部１１がオフ状態からオン状態になった場合に、基地局のサーチを行わないように制御する。よって、携帯電話機１は、ネットワークの負荷の増大を抑制することができる。
【００４６】
また、制御部１８は、アラームアプリケーションに基づき所定の時刻を通知することにより操作部１２が操作されることなく表示部１１がオフ状態からオン状態になると、第２通信処理部１６を用いて基地局のサーチを行わないように制御する。
【００４７】
また、制御部１８は、外部機器から複数の機器に一斉に送信されるプッシュ型の信号を受信することにより操作部１２が操作されることなく表示部１１がオフ状態からオン状態になると、基地局のサーチを行わないように制御する。
【００４８】
このようにすることで、携帯電話機１は、アラームアプリケーション又は複数の携帯電話機１に対して一斉に送信されるプッシュ信号等により表示部１１がオフ状態からオン状態になる場合に、確実に基地局のサーチを行わないように制御することができる。
【００４９】
上述の制御を行うにあたり、携帯電話機１は、基地局のサーチをするか否かについて、記憶部１７にＷｉＭＡＸの基地局のサーチを行うか否かを判定するためのサーチ抑止フラグを記憶させておき、制御部１８が、このサーチ抑止フラグに基づいて、サーチを行うか否かを判定するようにしてもよい。以下、サーチ抑止フラグを用いた制御について説明する。
【００５０】
制御部１８は、表示部１１の電源がオン状態からオフ状態に遷移したか否かを監視する。そして、制御部１８は、表示部１１の電源がオン状態からオフ状態に遷移した場合において、記憶部１７に記憶されているサーチ抑止フラグがオフであると判定すると、記憶部１７に記憶されているサーチ抑止フラグをオンに設定する。
【００５１】
制御部１８は、第１割込信号を検出した場合に、記憶部１７に記憶されているサーチ抑止フラグがオンであると判定すると、記憶部１７に記憶されているサーチ抑止フラグをオフに設定する。他方、制御部１８は、第１割込信号を検出しても、サーチ抑止フラグの値の変更を行わない。その後、制御部１８は、表示部１１のオン状態からオフ状態に遷移させる。
【００５２】
制御部１８は、表示部１１の電源がオフ状態からオン状態に遷移したか否かを監視する。制御部１８は、表示部１１の電源がオン状態からオフ状態に遷移した場合、記憶部１７に記憶されているサーチ抑止フラグがオフであると判定すると、基地局のサーチを行う。また、制御部１８は、ＷｉＭＡＸにおける通信が切断された場合において、記憶部１７に記憶されているサーチ抑止フラグがオフであると判定すると、ＷｉＭＡＸの基地局をサーチする。このようにすることで、制御部１８は、サーチ抑止フラグに基づいて、第１割込信号を検出した場合に、基地局のサーチを行い、第２割込信号を検出した場合に、基地局のサーチを行わないといった制御が可能になる。
【００５３】
なお、上述の説明では、制御部１８が、第２の割込信号を検出すると、第２通信処理部１６を用いて基地局のサーチを行わないように制御するようにしたが、これに限らない。例えば、制御部１８は、第２の割込信号を検出すると、設定時間経過後に第２通信処理部１６を用いて基地局のサーチを行うようにしてもよい。
【００５４】
ここで、設定時間は、記憶部１７に予め記憶されている時間であり、複数の携帯電話機１のそれぞれに対して個別に設定される時間である。例えば、設定時間は、所定時間（例えば１分）の間で予めランダムに設定される時間である。なお、設定時間は、第２の割込信号を検出したことに応じて、制御部１８によってランダムに設定されるようにしてもよい。
【００５５】
このようにすることで、複数の携帯電話機１のそれぞれの設定時間が略異なる時間となるため、制御部１８が、第２の割込信号を受信して、設定時間経過後に第２通信処理部１６を用いて基地局のサーチを行ったとしても、通信網において、通信接続のためのトラフィックが瞬間的に増加することがない。よって、設定時間経過後に第２通信処理部１６を用いて基地局のサーチを行うようにすることで、携帯電話機１は、ネットワークの負荷の増大を抑制することができる。
【００５６】
なお、上述の説明では、制御部１８が、第１の割込信号を検出すると、第２通信処理部１６を用いて基地局のサーチを行うように制御するようにした。この場合、例えば、制御部１８は、第１の割込信号を検出した際に、第２通信処理部１６を用いて基地局のサーチを行うように制御することができる。
【００５７】
つぎに、携帯電話機１の動作の流れについて、図２に示すフローチャートを参照しながら説明する。
【００５８】
ステップＳＴ１において、制御部１８は、ＷｉＭＡＸにおける通信が切断されたか否かを判定する。制御部１８は、この判定がＹＥＳの場合、ステップＳＴ２に処理を移し、この判定がＮＯの場合、ステップＳＴ４に処理を移す。
【００５９】
ステップＳＴ２において、制御部１８は、記憶部１７に記憶されているサーチ抑止フラグがオフであるか否かを判定する。制御部１８は、この判定がＹＥＳの場合、ステップＳＴ３に処理を移し、この判定がＮＯの場合、ステップＳＴ４に処理を移す。
【００６０】
ステップＳＴ３において、制御部１８は、第２通信処理部１６を用いてＷｉＭＡＸの基地局をサーチする。
【００６１】
ステップＳＴ４において、制御部１８は、表示部１１がオン状態からオフ状態に遷移したか否かを判定する。制御部１８は、この判定がＹＥＳの場合、ステップＳＴ５に処理を移し、この判定がＮＯの場合、ステップＳＴ６に処理を移す。
【００６２】
ステップＳＴ５において、制御部１８は、記憶部１７に記憶されているサーチ抑止フラグがオフの場合に、このサーチ抑止フラグをオンに設定する。
【００６３】
ステップＳＴ６において、制御部１８は、割込信号（信号）を検出したか否かを判定する。制御部１８は、この判定がＹＥＳの場合、ステップＳＴ７に処理を移し、この判定がＮＯの場合、ステップＳＴ１に処理を移す。
【００６４】
ステップＳＴ７において、制御部１８は、検出した割込信号が第１割込信号か否かを判定する。制御部１８は、この判定がＹＥＳの場合、ステップＳＴ８に処理を移す。また、制御部１８は、この判定がＮＯの場合、検出した割込信号が第２割込信号であると判定して、ステップＳＴ９に処理を移す。
【００６５】
ステップＳＴ８において、制御部１８は、記憶部１７に記憶されているサーチ抑止フラグがオンの場合に、このサーチ抑止フラグをオフに設定する。ここで、第２割込信号を検出した場合、ステップＳＴ８の処理が実行されないため、サーチ抑止フラグがオンである場合に、サーチ抑止フラグがオフに設定されない。これにより、第２割込信号を検出した場合に、基地局のサーチが行われない。
【００６６】
ステップＳＴ９において、制御部１８は、表示部１１がオフ状態であるか否かを判定する。制御部１８は、この判定がＹＥＳの場合、ステップＳＴ１０に処理を移し、この判定がＮＯの場合、ステップＳＴ１に処理を移す。
【００６７】
ステップＳＴ１０において、制御部１８は、表示部１１をオフ状態からオン状態に遷移させる。制御部１８は、この処理が終了すると、ステップＳＴ１に処理を移す。
【００６８】
以上、本実施形態によれば、携帯電話機１は、制御部１８により、操作部１２が操作されて表示部１１がオフ状態からオン状態になると、第２通信処理部１６を用いて基地局のサーチを行い、操作部１２が操作されることなく表示部１１がオフ状態からオン状態になると、第２通信処理部１６を用いて、基地局のサーチを行わないように制御する。
【００６９】
よって、携帯電話機１は、複数の携帯電話機１において一斉に表示部１１がオフ状態からオン状態になる可能性がある場合に、基地局のサーチを行わないように制御するので、ネットワークの負荷の増大を抑制することができる。
【００７０】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００７１】
例えば、各種割込信号の種別に基づいて、表示部１１がオン状態になる要因を状態変数として記憶部１７に記憶させておき、制御部１８が、当該状態変数に基づいて基地局のサーチを行うようにしてもよい。すなわち、制御部１８は、表示部１１がオン状態となった場合に、記憶部１７に記憶されている状態変数が所定の変数である場合に、基地局のサーチを行い、その後、記憶部１７に記憶されている状態変数を消去させるようにしてもよい。このようにすることで、携帯電話機１は、表示部１１がオン状態になった場合に、状態変数に基づいて、表示部１１がオン状態になった要因を判別することができる。これにより、携帯電話機１は、ＷｉＭＡＸをサーチする必要がない要因では、基地局のサーチを行わないようにすることができる。
【００７２】
また、本実施形態では、第２通信処理部１６を介した通信が切断されている場合において基地局をサーチする説明を行ったが、これに限らない。例えば、本実施形態で説明した基地局をサーチする処理を、第１通信処理部１５を介した通信が切断されている場合における基地局のサーチに適用するようにしてもよい。また、制御部１８は、本実施形態で説明した基地局をサーチする処理を、任意の通信方式における通信が切断されている場合における当該通信方式に対応した基地局のサーチに適用するようにしてもよい。例えば、制御部１８は、第１通信処理部１５を介した通信が切断されている場合において第１割込信号を検出したとき、第１通信処理部１５を介した通信に対応した基地局をサーチするようにしてもよい。
【００７３】
また、本実施形態では、メール受信通知に関する信号は、第１割込信号であるとしたが、これに限らない。制御部１８は、メール受信通知に関する信号のうち、一斉送信されたものについて、第２割込信号と判定するようにしてもよい。このような構成において、制御部１８は、メール受信通知に関する信号を受信すると、受信したメールの宛先が携帯電話機１のみであるか否かを判定する。そして、制御部１８は、受信したメールの宛先が携帯電話機１のみである場合、メール受信通知に関する信号が第１割込信号であると判定する。また、制御部１８は、携帯電話機１のみではない場合、すなわち、複数の機器に一斉に送信されたメールである場合、メール受信通知に関する信号が第２割込信号であると判定する。ここで、当該複数の機器は、携帯電話機以外の機器を含んでいてもよい。
【００７４】
なお、制御部１８は、受信したメールの宛先が携帯電話機１のみであるか否かに基づいて、第１割込信号か第２割込信号かを判定することとしたが、これに限らず、例えば、受信したメッセージ本文に特定の文字（例えば、メーリングリスト等）が含まれている場合に、複数の機器に一斉に送信されたメールであると判定するようにしてもよい。そして、制御部１８は、当該メールに係るメール受信通知に関する信号を第２割込信号であると判定するようにしてもよい。
【符号の説明】
【００７５】
１  携帯電話機
１１  表示部
１２  操作部
１８  制御部
【図１】
2013243562.tif 000003
【図２】
2013243562.tif 000004